(57)【要約】【課題】下面に溝条（谷）と下向き突条（山）とが交互に並設されている放射パネル１を吊り具（Ｔバー）で吊支したときに、溝条の端部に影が発生することを防止する。【解決手段】  吊り具１２を構成する垂直部１４の側面に、放射パネル１の溝条２０を照らすＬＥＤ２２が配置されている。溝条２０の端部がフランジで塞がれてトンネル状になっても、奥からＬＥＤ２２で照らされるため、室内用の照明によって溝条２０の端部に影が発生することはない。このため、人が天井を見上げても違和感を持つことはない。また、ＬＥＤ２２を間接照明として機能させることもできる。【選択図】図４
2019044329.tif 000002
【特許請求の範囲】
【請求項１】
平面視矩形の天井材と、前記天井材の一側縁に沿って長く延びる吊り具とを有しており、
前記天井材は、前記吊り具の長手方向と直交した水平方向から見て下面が凹凸形状になっており、このため、前記天井材の下面には多数の溝条が並列状に形成されている一方、
前記吊り具は、前記天井材の一側縁が載るフランジと、前記フランジから立ち上がった垂直部とを有している構成であって、
前記吊り具の垂直部又はフランジに、少なくとも一部の光が放射パネルの溝条に向かうように発光素子を設けている、
建物の天井部。
【請求項２】
平面視矩形で下面は直線状の溝条の群が並設された凹凸面になっている天井材を、前記各溝の端部が位置する一側縁の箇所において吊支する吊り具であって、
前記吊り具の一側縁が載るフランジと、前記フランジから立ち上がった垂直部とを有しており、前記吊り具の垂直部又はフランジに、少なくとも一部の光が放射パネルの溝条に向かうように発光素子を設けている、
天井材用の吊り具。
【請求項３】
平面視矩形の放射パネルと、前記放射パネルの一側縁に沿って長く延びる吊り具とを備えており、
前記放射パネルは、下面に下向き突条と下向き溝条とが交互に存在する放射パネルと、前記放射パネルに設けた流体通路とを有していて、前記下向き突条及び溝条の端部が前記一側縁に露出している一方、
前記吊り具は、前記放射パネルの一側縁が載るフランジと、前記フランジから立ち上がった垂直部とを有している構成であって、
前記吊り具の垂直部又はフランジに、少なくとも一部の光が前記放射パネルの溝条に向かうように発光素子を設けている、
天井部用空調設備。
【請求項４】
前記発光素子は、前記垂直部の側面又はフランジの上面に設けている、
請求項１に記載した天井部又は請求項２に記載した天井材用の吊り具若しくは請求項３に記載した天井部用空調設備。
【請求項５】
前記発光素子は、前記放射パネルの各溝条に対応した箇所に設けている、
請求項４に記載した天井部又は天井材用の吊り具若しくは天井部用空調設備。
【請求項６】
前記発光素子はＬＥＤ又は有機ＥＬである、
請求項１又は４に記載した天井部又は請求項２又は４に記載した天井材用の吊り具若しくは請求項３又は４に記載した天井部用空調設備。
【発明の詳細な説明】
【技術分野】
【０００１】
本願発明は、天井材を吊り具で吊支した構造の天井部及びこれに使用する吊り具、並びに、放射パネルを吊り具で吊支した構造の天井部用空調設備に関するものである。
【背景技術】
【０００２】
熱媒体として水のような液体（流体）を使用して、液体で冷却又は加温された放射パネルによって冷房や暖房を行う放射空調設備（放射空調システム）があり、この空調設備は、騒音がなくて快適性に優れる等の利点があって広く普及している。
【０００３】
放射パネルには様々の形態があるが、例えば特許文献１に開示されているように、放射プレートを、山と溝（谷）とが交互に並んだ凹凸形状に形成したものがあり、このタイプの放射パネルは、平坦な構造に比べて伝熱面積が大きいため、空調効率を向上できる利点がある。
【０００４】
また、この種の放射パネルは平面視矩形に形成されていて、多数枚が縦横に戦列して敷設されているが、敷設するに当たって、例えば放射パネルが長方形であると、多数枚の放射パネルを、長辺同士は互いに当接して、短辺間には隙間が空くようにして配置し、短辺部をＴバーと呼ばれる吊り具で支持している。天井部の施工において、Ｔバーを使用した支持構造は軽天構造の天上部などで広く行われており、放射パネルの支持構造は、一般的な天井部の構造を踏襲したものである。
【０００５】
Ｔバーを使用して天井部を構成した場合、一つの問題として、人が天井面を見上げたときに、天井材とＴバーとの素材の違いによって違和感を受けることがある。この点について特許文献２には、天井材とＴバーとにスパッター塗装を施して両者の見え方を共通化することが開示されている。
【０００６】
また、特許文献３には、Ｔバーのフランジと天井材との間の隙間に影が生じることを防止するため、Ｔバーのフランジのフランジを下方から透明なカバー部材で覆い、カバー部材の両長手縁部に、天井材に下面に向いた上向き片を突出させて、透明な上向き片（透明部）で隙間を塞ぐことによって影の発生を防止することが開示されている。
【先行技術文献】
【特許文献】
【０００７】
【特許文献１】特開２００８−２７５２２７号公報
【特許文献２】特開平１０−６８１９１号公報
【特許文献３】特開２００６−２８２００５号公報
【発明の概要】
【発明が解決しようとする課題】
【０００８】
図８は、特許文献１のように下面が凹凸に形成された放射パネル１′をＴバー１２′で支持した構造を示している。この構造において、放射パネル１′は、下向き突条４′の下端がＴバー１２′のフランジ１３′で支持されるため、溝条２０′がＴバー１２′の垂直部１４′に向けて入り込んでいるが、室内の照明は放射パネルにおける各溝の端部には届かないため、（Ｂ）にドットで示すように、各溝の端部が影Ｓとして現れており、このため、人が点状部を見上げたときに、影ＳがＴバー１２′の長手方向に沿って点々と現れ、人が違和感を持つことが懸念される。
【０００９】
特許文献３でも、Ｔバーのフランジと天井材との間に影ができることを問題としており、そこで、図８において生じる影Ｓを特許文献３の手段で解消することが考えられるが、放射パネル１′の溝条２０′の上下深さはかなり大きいため、透明なカバー部材の上向き片で溝条２１を塞いだ程度では影の発生を防止できるとは言い難く、単に、カバーの上向き片を介して溝条２０′が暗いトンネルのように見えてしまうことが懸念される。
【００１０】
本願発明は、このような現状を契機にして成されたものであり、人が見上げても違和感のない天井部の構造を実現しようとするものである。
【課題を解決するための手段】
【００１１】
本願発明は様々な構成を含んでおり、その典型を各請求項で特定している。このうち請求項１の発明は建物の天井部に適用したものであり、
「平面視矩形の天井材と、前記天井材の一側縁に沿って長く延びる吊り具とを有しており、前記天井材は、前記吊り具の長手方向と直交した水平方向から見て下面が凹凸形状になっており、このため、前記天井材の下面には多数の溝条が並列状に形成されている一方、前記吊り具は、前記天井材の一側縁が載るフランジと、前記フランジから立ち上がった垂直部とを有している」
という構成において、
「前記吊り具の垂直部又はフランジに、少なくとも一部の光が放射パネルの溝条に向かうように発光素子を設けている」
という構成を備えている。
【００１２】
請求項２の発明は、天井材用の吊り具に適用したものである。すなわち、平面視矩形で下面は直線状の溝条の群が並設された凹凸面になっている天井材を、前記各溝の端部が位置する一側縁の箇所において吊支する吊り具に関するものであり、
前記吊り具の一側縁が載るフランジと、前記フランジから立ち上がった垂直部とを有しており、前記吊り具の垂直部又はフランジに、少なくとも一部の光が放射パネルの溝条に向かうように発光素子を設けているものである。
【００１３】
請求項３の発明は、天井部用空調設備に関する。この天井部用空調設備は、
「平面視矩形の放射パネルと、前記放射パネルの一側縁に沿って長く延びる吊り具とを備えており、前記放射パネルは、下面に下向き突条と下向き溝条とが交互に存在する放射パネルと、前記放射パネルに設けた流体通路とを有していて、前記下向き突条及び溝条の端部が前記一側縁に露出している一方、前記吊り具は、前記放射パネルの一側縁が載るフランジと、前記フランジから立ち上がった垂直部とを有している」
という基本構成において、
「前記吊り具の垂直部又はフランジに、少なくとも一部の光が前記放射パネルの溝条に向かうように発光素子を設けている、」
という構成が付加されている。
【００１４】
本願発明において、発光素子はフランジの下面に設けることも可能であるが、請求項４の発明では、前記発光素子は、前記垂直部の側面又はフランジの上面に設けている。請求項４の展開例として、請求項５の発明では、前記発光素子は、前記放射パネルの各溝条に対応した箇所に設けている。
【００１５】
また、請求項６では、前記発光素子としてＬＥＤ又は有機ＥＬを使用している。
【発明の効果】
【００１６】
本願発明では、発光素子の光で溝条が照らされるか或いは溝条が発光部で隠れるため、溝条の箇所に影が発生してもこれを確認（視認）し難くできるか、或いは、溝条の箇所の影に発生することを防止又は抑制できる。
【００１７】
従って、人が天井を見上げたときに影が目に入って違和感を持つことを防止して、美観を向上できる。また、本願発明では、発光素子は室内の照明の役割も果たし得るため、室内の明るさの調節などにも貢献できる。
【００１８】
なお、発光素子の光が強すぎると、発光素子の光が違和感の原因になるおそれがあるが、発光素子の光を室内の主照明の下で目立たない程度の照度に設定しておくことにより、違和感のない状態を作り出すことができる。発光素子の照度を調節できるようにしておいてもよい。
【００１９】
請求項４のように、発光素子を垂直部の側面又はフランジの上面に設けると、溝条を奥から照らすことになるため、影の発生を確実に防止できる。従って、請求項４の構成が好適であるといえる。また、請求項４の構成では、発光素子の光が人目に直接当たることはなくて間接照明になるため、室内の照明の補助として特に好適であるといえる。例えば、プロジェクタを使用するために室内の照度を落す場合など、本願発明の発光素子のみを点灯させることにより、室内の照度を均等に落すことができる。
【００２０】
請求項５のように、各溝条に対応して発光素子を設けると、影の発生防止の確実性を格段に向上できる。また、間接照明機能も向上できる。
【００２１】
本願発明において、天井材は単なる天井板であってもよいが、請求項３のように天井部用空調設備に適用すると、下面が凹凸形状の放射パネルを使用して空調効率を高めつつ美観を向上できて好適である。なお、発光素子の群は、全体をＯＮ・ＯＦＦする構成でもよいし、各天井材の箇所ごとにＯＮ・ＯＦＦできるようにしてもよい。
【図面の簡単な説明】
【００２２】
【図１】実施形態に係る建物の室内の斜視図である。
【図２】（Ａ）は放射パネルの平面図、（Ｂ）は（Ａ）のＢ−Ｂ視図である。
【図３】第１実施形態の天井部の部分的な平面図である。
【図４】（Ａ）は天井部の要部拡大平面図、（Ｂ）は図３のＢ−Ｂ視断面図、（Ｃ）は図３のＣ−Ｃ視断面図である。
【図５】（Ａ）は上から見た分離斜視図、（Ｂ）は下方から見た斜視図である。
【図６】（Ａ）は第２実施形態の斜視図、（Ｂ）は第３実施形態の底面図、（Ｃ）は第４実施形態の側面図、（Ｄ）は第４実施形態の側面図である。
【図７】（Ａ）は第５実施形態の縦断側面図、（Ｂ）は第６実施形態の縦断側面図、（Ｃ）は第７実施形態の側面図、（Ｄ）は第８実施形態の側面図である。
【図８】従来構造を示す斜視図で、（Ａ）はＴバーを一点鎖線で表示したもの、（Ｂ）Ｔバーを実線で表示したものである。
【発明を実施するための形態】
【００２３】
(1).第１実施形態
次に、本願発明の実施形態を図面に基づいて説明する。本実施形態は、放射パネルを有する天井部用空調設備に適用している。すなわち、天井材として放射パネルが使用されている。まず、図１〜図５に示す第１実施形態を説明する。
【００２４】
図１，２で建物と空調設備との概略を表示しているが、これらの図のとおり、室の天井部は、前後左右（縦横）に整列して配置された多数枚の放射パネル１を備えている。放射パネル１の構造は従来と同様であるが、念のため、説明しておく。
【００２５】
図２に明示するように、放射パネル１は平面視長方形の形態であり、その多数枚を、長辺を互いに当接させた状態で前後に並べて配置することによって放射パネル列を形成し、左右に隣り合った放射パネル列の間には、ある程度の間隔（隙間、空間）が空いている。なお、図２では、前後に隣り合った放射パネル１の長辺間に若干の隙間を描いているが、実際には、隣り合った放射パネル１の長辺同士は当接している。
【００２６】
本実施形態では、上記のとおり、方向を特定するため前後・左右の文言を使用するが、放射パネル１の短辺に沿った方向を前後方向、放射パネル１の長辺に沿って方向を左右方向として定義している（これらの方向は、説明のための便宜的なものである。）。正面視は前後方向から見た状態であり、側面視は左右方向から見た状態である。念のため、図１，２に方向を明記している。
【００２７】
図２，図３に示すように、放射パネル１は、前後方向に並列配置された６枚の放射プレート２と、その上面に装着されたパイプ３とで構成されている。従って、本実施形態では、パイプ３によって流体通路が形成されている。
【００２８】
放射プレート２は左右長手の細長い形態であり、放射パネル１としても、上記したように左右長手の長方形に形成されている。各放射プレート２には、半円状の下向き突条４が左右に並んで３列形成されている。従って、各放射プレート２の下面は、下向きの山と谷とが交互に並んだ側面視で凹凸形状になっていると共に、放射パネル１としても側面視で凹凸形状になっている。
【００２９】
図４（Ｃ）のとおり、各放射プレート２において、前後の長手側縁のうち一方の長手側縁は段上がり部２ａになって、他方の長手側縁側縁は段落ち部２ｂになっており、前後に隣り合った段上がり部２ａと段落ち部２ｂとを重ね合わせることにより、放射パネル１は全体として１枚板のような外観を呈している。
【００３０】
他方、図２のとおりパイプ３は平面視でジグザグに曲げられており、パイプ３の直線部が、各放射プレート２における中央部の下向き突条４に嵌まっている。各放射プレート２における中央部の下向き突条４には、パイプ３を抱持する上向きリブ５を形成している。従って、パイプ３は、上向きリブ５を弾性変形させて下向き突条４に嵌め込まれる（強制嵌合される。）。
【００３１】
パイプ３のうちＵ形に曲がった部分は、下向き突条４の上に露出している。また、パイプ３の一端部３ａと他端部３ｂとは、図２のとおり、放射プレート２の一短辺部と平行に延びるように曲げられており、一端部３ａと他端部３ｂとは反対方向に向いている。そして、前後に隣り合った一方の放射パネル１におけるパイプ３の一端部３ａと、他方の放射パネル１におけるパイプ３の他端部３ｂとが、図２に点線で表示したジョイントパイプ６で接続されている。
【００３２】
パイプ３には、前後長手の押さえフレーム７が上から重なっている。押さえフレーム７は下向きに開口したコ字形の形態であり（図２参照）、その前後側板に切り開き係合溝８を飛び飛びで複数形成している一方、放射プレート２の前後長手側縁には、切り開き係合溝８に嵌合する係合リブ９を一体に形成しており、係合リブ９の先端縁に形成した爪を切り開き係合溝８の段部に係合させることにより、押さえフレーム７によってパイプ３を放射プレート２に押さえ保持すると共に、６枚の放射プレート２を１枚板状に連結している。
【００３３】
図４（Ｃ）に示すように、押さえフレーム７のうちパイプ３に当たる部分は、下向き開口の台形状に切欠いている。押さえフレーム７は、放射パネル１の左右両端寄り部位と左右中間部とに３本配置しており、中間部に位置した押さえフレーム７における天板の前後両端寄り部位の下面に、ナット１０を溶接によって固定している。なお、押さえフレーム７の配置本数は任意に設定できる。そして、図示は省略するが、天井スラブ（図示せず）から直接に又は中間部材を介して垂下した吊りボルト（図示せず）をナット１０に螺合することにより、押さえフレーム７が吊支されている。
【００３４】
放射プレート２は、アルミ等の金属や樹脂を材料にした押し出し加工品を採用しているが、樹脂を材料にした射出成形品や、金属ダイキャスト品、金属焼結加工品、或いは板金加工品など、様々な素材・態様のものを採用できる。放射パネル１を１枚の放射プレート２で構成することも可能である。
【００３５】
(2).吊り具
前後に並んだ多数の放射パネル１によって放射パネル列が構成されており、複数列の放射パネル列が左右に並んでいるが、例えば図４（Ａ）（Ｂ）に示すように、左右に隣り合った放射パネル列の間には間隔（空間）が空いており、この箇所に吊り具（Ｔバー）１２を配置している。また、吊り具１２は、左右の右の端に位置した放射パネル１の外側にも配置されている。
【００３６】
図４（Ｂ）に明示するように、吊り具１２は、水平状の左右フランジ１３と、その長手中心線の箇所から一体に立ち上がった垂直部１４とを有しており、フランジ１３によって放射パネル１の一側縁（短手端部）が下方から支持されている。従って、フランジ１３は放射パネル１を吊支する機能と、隣り合った放射パネル１の短手端部間の隙間を塞ぐ目地の機能とを有している。吊り具１２は、アルミ等の金属又は合成樹脂を材料にした押し出し加工品を採用しているが、板金加工品なども採用できる。
【００３７】
吊り具１２における垂直部１４の上端には厚肉部１５が形成されており、前後長手の中間吊り板１６の下端に形成した抱持部１７で厚肉部１５を抱持し、中間吊り板１６を、吊りボルト１８及びナット１９によって吊支している。
【００３８】
放射パネル１の一側縁（短手側縁）と吊り具１２の垂直部１４との間には、ある程度の間隔（例えば、数ｍｍ〜十数ｍｍ）の隙間が空いている。また、放射プレート２の下面は側面視で凹凸になっているため、吊り具１２のフランジ１３に載るのは下向き突条４の下端のみであり、従って、放射プレート２の短辺部と吊り具１２のフランジ１３との間には、前後に並んだ下向き突条４で挟まれた多数の溝条２０が形成されている。溝条２０は、上面を平坦面として前後両側を湾曲傾斜面と成しており、台形に近い形態になっている。
【００３９】
そこで、図４，５に示すように、吊り具１２における垂直部１４の前後両側面に、回路基板２１を介してＬＥＤ２２を配置している。回路基板２１は、垂直部１４に接着剤又は両面粘着テープで接着しているが、ビス止め等の他の手段で固定してもよい。ＬＥＤ２２は放射パネル１の溝条２０に箇所に位置するように、回路基板２１に飛び飛びで多数搭載されており、光の照射方向は溝条２０を向いている。
【００４０】
従って、図５（Ｂ）に模式的に示すように、放射パネル１の各溝条２０がＬＥＤ２２によって奥から照らされる。これにより、室内用の照明によって溝条２０の箇所に影ができることはなくて、人が天井を見上げても違和感を持つことはない。
【００４１】
本実施形態では、ＬＥＤ２２は室内用の間接照明としても機能している。従って、例えば室内でプロジェクタを使用する場合など、室内全体の照度を落としたい場合は、本願発明のＬＥＤ２２のみを点灯しておくことにより、所望の雰囲気を作り出すことができる。また、ＬＥＤ２２は一般に１２ボルトの直流電流で駆動されるので、予備電源としてバッテリーを用意しておくことにより、停電時の非常灯として機能させることも可能である。ＬＥＤ２２の照度を可変式に構成することも可能である。
【００４２】
ＬＥＤ２２の照度は、人が違和感を持つことがない程度に設定しているが、人が天井を見上げてもＬＥＤ２２の光が直接目に入ることはないため、室内照明を補助するようにある程度の照度を確保していても、人が違和感を持つことはない。
【００４３】
ＬＥＤ２２は、吊り具１２の垂直部１４に直接取り付けることも可能であるが、実施形態のように回路基板２１を使用すると、取付けが簡単であり、既存の吊り具１２にも簡単に適用できる利点がある。なお、回路基板２１を使用する場合、適宜の長さのものを直列に配置したらよい。
【００４４】
(3).図６の実施形態
次に、図６に示す他の実施形態を説明する。図６（Ａ）に示す第２実施形態及び図６（Ｂ）に示す第３実施形態では、ＬＥＤ２２は、回路基板２１を介してフランジ１３の下面に配置されている。この場合、（Ａ）の第２実施形態では、ＬＥＤ２２はフランジ１３の長手中心線に沿って一列だけ配置されており、（Ｂ）の第３実施形態では、フランジ１３の左右長手縁部に寄せて２列形成している。ＬＥＤ２２は、光の照射角度ができるだけ大きい（例えば１８０度程度）のが好ましい。
【００４５】
この実施形態では、ＬＥＤ２２の群により、フランジ１３の下面の外側にはみ出た状態で光の帯が形成されるため、溝条２０の箇所に影が発生していても、影は光の帯に隠れた状態になっていて、人が見上げても影を認識することはできない。従って、この実施形態でも、影に起因して人が違和感を持つことを防止できる。
【００４６】
また、ＬＥＤ２２の光の一部が溝条２０に向かうため、溝条２０の箇所で影ができることを防止又は抑制することも可能である。特に、（Ｂ）の第３実施形態のようにフランジ１３の長手縁に寄せてＬＥＤ２２を配置すると、照射光は回折によって溝条２０に向かうため、影の発生の防止機能が高いと云える。
【００４７】
図６（Ｃ）（Ｄ）では、ＬＥＤ２２を、光が横向きに照射される状態でフランジ１３の下面部に配置している。このうち（Ｃ）に示す第４実施形態では、左右の横向き溝２３を有する合成樹脂製等のホルダー部材２４をフランジ１３の下面に接着等で固定し、ホルダー部材２４の横向き溝２３にＬＥＤ２２を配置している。
【００４８】
他方、（Ｄ）に示す第５実施形態では、吊り具１２が押し出し加工されていることを利用して、フランジ１３の下面部に横向き溝２３を一体に形成して、この横向き溝２３にＬＥＤ２２を配置している。いずれにおいても、ＬＥＤ２２は回路基板２１に搭載しているが、ＬＥＤ２２を単体で取付けてもよい。これら（Ｃ）（Ｄ）の実施形態では、光が横向きに照射されるため、溝条２０の照射を促進して影の発生を一層的確に防止できる。また、間接照明機能も向上できる。
【００４９】
(4).図７の実施形態
図７（Ａ）に示す第６実施形態では、垂直部１４に、回路基板２１を上下から抱持する上下のホルダー部２４を一体に形成している。この実施形態では、回路基板２１の取付けが簡単であると共に、ＬＥＤ２２の前後位置の変更を簡単に行える利点がある。
【００５０】
図７（Ｂ）に示す第７実施形態では、垂直部１４のうち放射パネル１よりも高い部位に横向きリップ２５を一体に設けて、横向きリップ２５の下面に、回路基板２１を介してＬＥＤ２２を配置している。ＬＥＤ２２の光は下向きに照射されて、垂直部１４及びフランジ１３によって反射して溝条２０に向かう。従って、影を防止する機能は万全である。
【００５１】
この実施形態では、ＬＥＤ２２は放射パネル１よりも高い位置に配置されているので、放射パネル１と垂直部１４との間に僅かの隙間しかない場合でも、影の発生をしっかりと防止できる。この場合、一点鎖線で示すように、垂直部１４の側面とフランジ１３の上面とのかちいずれか一方又は両方に反射テープ２６を貼着しておくと、光の反射・散乱を促進して、影の発生を一層的確に防止できる。
【００５２】
なお、反射テープ２６などによって光をフランジ１３の箇所で強く反射・散乱させ得る場合は、ＬＥＤ２２は必ずしも各溝条２０に対応して設ける必要はない。従って、ＬＥＤ２２の位置決めは不要であり、このため施工が容易である。第１実施形態でも、本実施形態と同様にフランジ１３の上面に反射テープ２６を貼着しておくと、１つのＬＥＤ２２で複数の溝条２０を照らすことができるので、ＬＥＤ２２を正確に位置決めする必要はない。
【００５３】
図７のうち（Ｃ）に示す第８実施形態と（Ｄ）に示す第９実施形態では、吊り具１２に、フランジ１３を抱持する樹脂製のブラケット材２７を脱落不能に装着して、ブラケット材２７にＬＥＤ２２を取り付けている。すなわち、ブラケット材２７は、フランジ１３を下方から抱持する断面Ｃ形であり、このうち（Ｃ）の第８実施形態では、ブラケット材２７の長手側縁の下端に横向き張り出し部２７ａを形成して、これにＬＥＤ２２を搭載している。ＬＥＤ２２は横向き張り出し部２７ａに直接搭載しているが、回路基板２１を介して取付けてもよい。
【００５４】
この第８実施形態では、ＬＥＤ２２の光は上向きに照射されるため、影の発生を確実に防止できる。ＬＥＤ２２は必ずしも各溝条２０に対応させる必要はなく、複数の溝条２０を１つのＬＥＤ２２で照らすことも可能である（この場合も、横向き張り出し部２７ａの上面に反射テープを貼ったり金属色の塗装を施したりすると有益である。）。
【００５５】
（Ｄ）に示す第９実施形態では、ブラケット材２７の上片２７ｂに、垂直部１４に重なった蟻溝状抱持部２７ｃを一体に設けて、蟻溝状抱持部２７ｃに回路基板２１を装着している。従って、第１実施形態や図７（Ａ）の第６実施形態と同様に、ＬＥＤ２２は垂直部１４の側面部に配置されている。
【００５６】
これら（Ｃ）（Ｄ）の実施形態は、既存の吊り具１２にも容易に適用できる利点がある。なお、（Ｃ）（Ｄ）の実施形態では、放射パネル１は、ブラケット材２７の上片２７ｂを介してフランジ１３で支持される。従って、仮に火災でブラケット材２７が消失しても、放射パネル１が落下することはない。
【００５７】
本願発明は、以上の実施形態の他にも様々に具体化できる。例えば、ＬＥＤをフランジの上面に配置することも可能である（この場合は、図７（Ｃ）のようなブラケット材２７を使用することにより、ＬＥＤの位置を容易に調節できるようにしておくのが好ましい。）。また、上記の実施形態は天井部用空調設備に適用したが、空調機能を持たない天井部及びそのための吊り具（Ｔバー）にも適用できる。
【００５８】
発光素子としては、シート状等の有機ＥＬを使用することも可能であるし、ＬＥＤと有機ＥＬとを併用することも可能である。有機ＥＬを使用すると、例えば垂直部の側面に貼着して面発光させることができるため、影の防止の確実性に優れると共に、施工性にも優れている。
【００５９】
実施形態では、放射パネルの流体通路をパイプで構成したが、流体通路をプレートに一体形成することも可能である。また、対象になる天井材は、少なくとも下面が凹凸形状であれはよいのであり、上面はフラットであっても本願発明の対象になる。
【産業上の利用可能性】
【００６０】
本願発明は、天井部用空調設備等に具体化できる。従って、産業上利利用できる。
【符号の説明】
【００６１】
１  放射パネル
２  放射プレート
３  流体通路を構成するパイプ
４  下向き突条
１２  吊り具（Ｔバー）
１３  水平フランジ
１４  垂直部
２０  放射パネルの溝条
２１  回路基板
２２  ＬＥＤ
【図１】
2019044329.tif 000003
【図２】
2019044329.tif 000004
【図３】
2019044329.tif 000005
【図４】
2019044329.tif 000006
【図５】
2019044329.tif 000007
【図６】
2019044329.tif 000008
【図７】
2019044329.tif 000009
【図８】
2019044329.tif 000010